(57)【特許請求の範囲】
【請求項１】
対向する一対の広幅側板と、別に対向する一対の小口幅側板とで箱形状をなし、機器関連材を出し入れする出入れ口を上向きに開放している収納容器であって、前記対向する一対の広幅側板の高さを異ならしめ、高さの高い第１側板と低い第２側板とを設けてなる収納容器を外面に取り付けてなる電子機器において、
前記収納容器の第１側板の上部が正面側から見えるように、前記収納容器の第２側板を電子機器の背面側となる外面に取り付けてなることを特徴とする電子機器。
【請求項２】
機器本体にオプション機器を取り付けて構成し、前記機器本体の奥行きより前記オプション機器の奥行きを小さくし、そのオプション機器の背面側となる外面に前記収納容器を取り付けてなることを特徴とする、請求項１に記載の電子機器。
【請求項３】
前記収納容器は、前記対向する一対の広幅側板を各々前記出入れ口に向けて漸次拡がるように形成してなることを特徴とする、請求項１または２に記載の電子機器。
【請求項４】
前記外面に、前記収納容器を当てる突部を形成してなることを特徴とする、請求項１ないし３のいずれか１に記載の電子機器。
【請求項５】
対向する一対の広幅側板と、別に対向する一対の小口幅側板とで箱形状をなし、機器関連材を出し入れする出入れ口を上向きに開放している収納容器を備えてなる電子機器において、
前記対向する一対の小口幅側板の高さを異ならしめ、高さの高い第１側板と低い第２側板とを設けてなり、高さの高い第１側面を前記電子機器の背面側、高さの低い第２側板を正面側として、前記収納容器の第１側板の上部が正面側から見えるように、前記一対の広幅側面の一方を取り付けて前記収納容器を前記電子機器の側面側となる外面に取り付けてなることを特徴とする電子機器。
【発明の詳細な説明】
【技術分野】
【０００１】
この発明は、家庭用や事務用などの電子機器に関する。詳しくは、使用説明書などの機器関連材を出し入れ自在に収納する収納容器を外面に取り付けてなる、複写機、プリンタ、ファクシミリ、またはそれらの複合機等の画像形成装置などの電子機器に関する。
【背景技術】
【０００２】
例えば複写機、プリンタ等の画像形成装置を新たに購入した場合には、使用に際してたびたび使用説明書を参照する必要がある。また、今日、画像形成装置では、多機能化が進んでおり、新たな機能が加わって取り扱いも難しくなり、日々使用しない機能については、改めて使用説明書を参照する必要がある。他方、パソコンにインストールするドライバソフトを記録したＣＤ−ＲＯＭなどの記録媒体は、紛失しないように、また必要に応じてすぐに使用することができるように、あらかじめ画像形成装置の周辺に準備しておく必要がある。
【０００３】
そこで、このような使用説明書や記録媒体などの機器関連材をすぐに使用することができるように、画像形成装置等の電子機器の外面にマニュアルポケットなどの収納容器を設けてその収納容器内に該機器関連材を収納し、ユーザーがいつでも必要に応じて使用可能に電子機器まわりに容易に出し入れ自在に保管するものがある。
【０００４】
収納容器としては、例えば、樹脂製のものを用いて、ブック状やシート状の機器関連材を収納するのに適するように、対向する一対の幅広側板と、別に対向する一対の小口側板とからなる箱形状をなし、機器関連材を出し入れする出し入れ口を上向きに開放して有するものを使用していた。そして、電子機器の外面に、ねじや両面テープなどを用いて取り付けたり、突起に掛け止めして取り付けたりしていた。
【０００５】
例えば図１３に示すように、画像形成装置１の側面２に箱形状の収納容器３を両面テープで取り付けていた。そして、収納容器３は、使用説明書４を出し入れする出し入れ口５を上向きに開放していた。
【０００６】
【特許文献１】特開２００１−３８９８５号公報
【特許文献２】特開２００４−６１９５７号公報
【発明の開示】
【発明が解決しようとする課題】
【０００７】
ところが、従来のものには、次のような問題点があった。
１）収納容器を電子機器の背面側に取り付けた場合に、収納容器の位置が判りにくく、機器関連材の出し入れに不便がある。
２）例えば図１３に示すように、収納容器３に使用説明書４を挿入するとき、使用説明書４が収納容器３の出し入れ口５の端面６に当たって収納容器３内に使用説明書４をスムーズに入れることができない。
【０００８】
３）電子機器の外面に収納容器をねじ止めなどで取り付けると、取り付け取り外しにドライバなどの工具を必要とした。
４）両面テープを用いて電子機器の外面に収納容器を取り付ける際は、収納容器を取り付ける個所をアルコールなどできれいに拭かなければならず、また貼るときに両面テープから剥がした剥離紙がごみとして生じ、さらには両面テープのはがれなどの問題を生じた。
【０００９】
そこで、この発明の第１の目的は、電子機器の外面に位置を容易に確認することができるように取り付け可能であり、しかも使用説明書やＣＤ−ＲＯＭなどの機器関連材の出し入れが容易である収納容器を提供することにある。
【００１０】
この発明の第２の目的は、電子機器の外面に取り付けるとき、ドライバなどの工具を必要とせず、取り付け個所をアルコールできれいに拭いたりする手間がなく、剥離紙などのごみを発生する面倒もなく、しかも電子機器から簡単に外れる心配のない収納容器を提供することにある。
【００１１】
この発明の第３の目的は、例えばプッシュリベットを用いて取り付けるとき、電子機器の外面への取り付け作業を容易とする収納容器を提供することにある。
【００１２】
この発明の第４の目的は、製造時、運搬時、保管時などに、場所を取らず、取り扱いを簡単とするとともに、運搬費等を削減し、保管や梱包を容易とする収納容器を提供することにある。
【００１３】
この発明の第５の目的は、収納した使用説明書や記録媒体などの機器関連材の取り出しを容易とする収納容器を提供することにある。
【００１４】
この発明の第６の目的は、外面に取り付けた収納容器の位置を容易に確認することができる一方、使用説明書やＣＤ−ＲＯＭなどの機器関連材を収納容器にスムーズに入れることができる電子機器を提供することにある。
【００１５】
この発明の第７の目的は、背面側に取り付けた収納容器の位置を容易に確認することができるように収納容器を取り付ける電子機器を提供することにある。
【００１６】
この発明の第８の目的は、デットスペースを有効に利用して収納容器を取り付け、占有スペースを拡げることなく設置可能とした電子機器を提供することにある。
【００１７】
この発明の第９の目的は、背面側以外に、機器関連材の出し入れ容易に収納容器を取り付ける電子機器を提供することにある。
【００１８】
この発明の第１０の目的は、オプション機器の背面側以外に、機器関連材の出し入れ容易に収納容器を取り付ける電子機器を提供することにある。
【００１９】
この発明の第１１の目的は、電子機器の外面に取り付けるとき、ドライバなどの工具を必要とせず、取り付け個所をアルコールできれいに拭いたりする手間がなく、剥離紙などのごみを発生する面倒もなく、しかも電子機器から簡単に外れる心配なく、外面への収納容器の取り付け作業を容易とする電子機器を提供することにある。
【００２０】
この発明の第１２の目的は、取り付け面をアルコールで拭いたり、剥離紙がごみとして残ったり、剥がれやすい心配があったりしても、外面への収納容器の取り付け作業を簡便とする電子機器を提供することにある。
【００２１】
この発明の第１３の目的は、外面への収納容器の取り付け作業を一層容易とする電子機器を提供することにある。
【００２２】
この発明の第１４の目的は、頻繁に参照することが多いものを収納容器に収納する電子機器を提供することにある。
【００２３】
この発明の第１５の目的は、必要なときにいつでもすぐに使用したいものを収納容器に収納する電子機器を提供することにある。
【００２４】
この発明の第１６の目的は、外面に取り付けた収納容器の位置を容易に確認することができる一方、使用説明書やＣＤ−ＲＯＭなどの機器関連材を収納容器に出し入れとする画像形成装置を提供することにある。
【００２５】
この発明の第１７の目的は、電子機器の背面側に取り付けた収納容器の位置を容易に確認することができるように収納容器を取り付ける収納容器の電子機器取り付け方法を提供することにある。
【００２６】
この発明の第１８の目的は、収納容器の位置を容易に確認することができるようにオプション機器の背面側に収納容器を取り付ける収納容器の電子機器取り付け方法を提供することにある。
【００２７】
この発明の第１９の目的は、電子機器の背面側以外に、機器関連材の出し入れ容易に収納容器を取り付ける収納容器の電子機器取り付け方法を提供することにある。
【００２８】
この発明の第２０の目的は、電子機器の側面側に、機器関連材の出し入れ容易に収納容器を取り付ける収納容器の電子機器取り付け方法を提供することにある。
【課題を解決するための手段】
【００２９】
請求項１に記載の発明は、対向する一対の広幅側板と、別に対向する一対の小口幅側板とで箱形状をなし、使用説明書やＣＤ−ＲＯＭなどの機器関連材を出し入れする出入れ口を上向きに開放している収納容器であって、対向する一対の広幅側板の高さを異ならしめ、高さの高い第１側板と低い第２側板とを設けてなる収納容器を外面に取り付けてなる電子機器において、収納容器の第１側板の上部が正面側から見えるように、収納容器の第２側板を電子機器の背面側となる外面に取り付けてなることを特徴とする。
【００３０】
そして、収納容器を電子機器の背面側に取り付けるときは、第１側板の上部が電子機器越しに電子機器の正面側よりユーザーから見えるように、第２側板を電子機器に取り付ける。
【００３３】
請求項３に記載の発明は、請求項１または２に記載の電子機器において、収納容器は、対向する一対の広幅側板を各々出入れ口に向けて漸次拡がるように形成してなることを特徴とする。そして、収納容器は、製造時、運搬時、保管時など、順次入れて複数個積み重ねる。
【００３７】
請求項２に記載の発明は、請求項１に記載の電子機器において、機器本体にオプション機器を取り付けて構成し、機器本体の奥行きよりオプション機器の奥行きを小さくし、そのオプション機器の背面側となる外面に収納容器を取り付けてなることを特徴とする。そして、機器本体にそれより奥行きの小さいオプション機器を取り付けて設置し、そのオプション機器の背面側に収納容器を取り付ける。
【００４２】
請求項４に記載の発明は、請求項１ないし３のいずれか１に記載の電子機器において、外面に、収納容器を当てる突部を形成してなることを特徴とする。そして、収納容器を取り付けるとき、電子機器の外面の突部上に収納容器を仮置きして位置決めし、リベットや両面テープなどを用いて収納容器を外面に取り付ける。
【００４９】
請求項５に記載の発明は、対向する一対の広幅側板と、別に対向する一対の小口幅側板とで箱形状をなし、機器関連材を出し入れする出入れ口を上向きに開放している収納容器を備えてなる電子機器において、対向する一対の小口幅側面の高さを異ならしめ、高さの高い第１側板と低い第２側板とを設けてなり、高さの高い第１側面を電子機器の背面側、高さの低い第２側板を正面側として、収納容器の第１側板の上部が正面側から見えるように、一対の広幅側面の一方を取り付けて収納容器を電子機器の側面側となる外面に取り付けることを特徴とする。
【発明の効果】
【００５０】
請求項１に記載の発明によれば、電子機器の背面側に取り付けるときは、第１側板の上部が電子機器越しに電子機器の正面側よりユーザーから見えるように、第２側板を電子機器に取り付けるので、収納容器の装着位置を容易に確認し、機器関連材の出し入れを簡単とすることができる。また、電子機器の背面側以外の、正面側や左右側面側に取り付けるときは、第１側板を電子機器の外面に取り付けるので、機器関連材を入れるとき、第１側板の上部で案内して出入れ口に導き、機器関連材をスムーズに入れることができる。
【００５３】
請求項３に記載の発明によれば、請求項１または２に記載の発明の効果に加え、不使用時など、収納容器を順次入れて複数個積み重ねるので、場所を取らず、製造時、運搬時、保管時などに、収納容器の取り扱いを簡単とするとともに、運搬費等を削減し、収納容器の保管や梱包を容易とし、コストダウンを図ることができる。
【００５６】
請求項１に記載の発明によれば、加えて、収納容器の第１側板の上部が機器越しに正面側よりユーザーから見えるので、背面側に取り付けてなる収納容器の装着位置を容易に確認し、収納容器に機器関連材を簡単に出入れ自在に収納することができる。
【００５７】
請求項２に記載の発明によれば、請求項１に記載の発明の効果に加え、機器本体にそれより奥行きの小さいオプション機器を取り付けて設置し、そのオプション機器の背面側に収納容器を取り付けるので、オプション機器の背面側のデットスペースを有効に利用して収納容器を取り付け、占有スペースを拡げることなく設置することができる。
【００６２】
請求項４に記載の発明によれば、請求項１ないし３のいずれか１に記載の発明の効果に加え、収納容器を取り付けるとき、電子機器外面の突部上に仮置きして位置決めするので、例えば取付用リベットを通す収納容器のリベット挿通孔と電子機器の外面の取付孔との位置合わせなどを簡単として、外面への収納容器の取り付け作業を一層容易とすることができる。
【００６９】
請求項５に記載の発明によれば、電子機器において、収納容器の一対の小口幅側面の高さを異ならしめ、高さの高い第１側面を電子機器の背面側、高さの低い第２側板を正面側として、一対の広幅側面の一方を取り付けて収納容器を電子機器の側面側となる外面に取り付けるので、収納容器に機器関連材を入れるとき、第１側板の上部で案内して出入れ口に導き、機器関連材をスムーズに入れることができる。
【発明を実施するための最良の形態】
【００７０】
以下、図面を参照しつつ、この発明の実施の最良形態につき説明する。
図１には、電子機器の一例である画像形成装置の外観を示す。この画像形成装置は、複写機能とともに、ＬＡＮケーブルや電話回線で接続することによりプリンタ機能、ファクシミリ機能も有している。
【００７１】
図示画像形成装置には、筐体内に作像部１０を、給紙カセット１２を上下二段に備える給紙部１３上に設けてなり、筐体内の作像部１０上には、胴内排紙部１４を挟んで画像読取部１５を備えている。画像読取部１５は、その上面にある原稿読取面を開閉自在な押え板１６で被い、正面側に操作表示部１７を設けてなる。
【００７２】
そして、例えば不図示の原稿のコピーをとるときは、押え板を１６を開いて原稿読取面に原稿をセットして押え板１６を閉じ、操作表示部１７で必要なコピー条件を入力して後、その操作表示部１７のスタートボタン１８を押す。すると、画像読取部１５で読み取った原稿情報に基づき、作像部１０で画像を形成するとともに、コピーサイズに応じて給紙部１３の適宜の給紙カセット１２から用紙を送り出して作像部１０に送り込む。そして、その用紙に、作像部１０で形成した画像を記録して後、定着部で定着してから、不図示の排紙口から胴内排紙部１４に排出してなる。
【００７３】
このような画像形成装置には、設置状況、ユーザーの要望、使用状況、体裁などを考慮して選択的に、正面側、背面側、左右側面側の外装カバーで構成するいずれかの外面に、この例では両面テープを用いて収納容器２０が取り付けられる。収納容器２０には、画像形成装置の使用説明書、この画像形成装置に接続するパソコンにインストールするドライバソフトを記録したＣＤ−ＲＯＭ等の記録媒体などの機器関連材２２が出し入れ自在に収納される。
【００７４】
図２には、図１に示す画像形成装置の外面に取り付ける収納容器２０の外観を示す。
図示するとおり、収納容器２０は、例えばリサイクル時の簡便性を考慮して画像形成装置の外装カバーと同じＡＢＳ樹脂材料などを用いてつくり、対向する一対の幅広側板２３，２４と、別に対向する一対の小口幅側板２５，２６とで、手を触れても痛くないように角に丸みを付けた箱形状をなし、機器関連材２２を出し入れする出入れ口２７を上向きに開放して有する。そして、図示例では、対向する一対の広幅側板２３，２４の高さを異ならしめ、一方の広幅側板２３の高さｔ１を他方の広幅側板２４の高さｔ２より高くし、高さの高い第１側板（広幅側板２３）と低い第２側板（広幅側板２４）とを設けてなる。
【００７５】
図３には、図２に示す収納容器２０を画像形成装置の背面側に取り付けた状態を示す。
図示するように、図２に示す収納容器２０を画像形成装置の背面側に取り付けるときは、収納容器２０の第１側板である高い広幅側板２３の上部が正面側から見えるように、収納容器２０の第２側板である低い広幅側板２４を画像形成装置の背面側の外装カバーに取り付ける。そして、背面側に取り付けてなる収納容器２０の装着位置を確認して、収納容器２０に対して機器関連材２２を出し入れ自在とする。
【００７６】
このようにすると、第１側板である高い広幅側板２３の上部が画像形成装置越しに画像形成装置の正面側よりユーザーから見えるように、第２側板である低い広幅側板２４を画像形成装置の背面側の外装カバーに取り付けるので、ユーザーは、正面側から収納容器２０の装着位置を容易に確認し、機器関連材２２の出し入れを簡単とすることができる。
【００７７】
図４には、図２に示す収納容器２０を画像形成装置の側面側に取り付けた状態を示す。
図示するように、図２に示す収納容器２０を画像形成装置の側面側に取り付けるときは、収納容器２０の第１側板である高い広幅側板２３を取り付けて画像形成装置の、例えば左側面側の外装カバーに収納容器２０を取り付ける。そして、収納容器２０に機器関連材２２を挿入するとき、挿入する機器関連材２２を広幅側板２３で案内して出入り口２７に導くようにする。
【００７８】
このようにすると、一対の広幅側面２３，２４の高さを異ならしめ、高さの高い第１側面である広幅側板２３を取り付けて収納容器２０を画像形成装置の側面の外装カバーに取り付けるので、収納容器２０に機器関連材２２を入れるとき、機器関連材２２を広幅側面２３の上部に当ててそれで案内して出入れ口２７に導き、機器関連材２２をスムーズに入れることができる。
【００７９】
図５には、図２に示す収納容器２０を画像形成装置のオプション機器の背面側に取り付けた状態を示す。
図示するように、画像形成装置を機器本体Ａに、フィニッシャなどのオプション機器Ｂを取り付けて構成し、機器本体Ａの奥行きＤ１よりオプション機器Ｂの奥行きＤ２を小さくし、そのオプション機器Ｂの背面側の外装カバーに収納容器２０を取り付ける。そして、機器本体Ａにそれより奥行きの小さいオプション機器Ｂを取り付けて設置し、そのオプション機器Ｂの背面側に収納容器２０を取り付ける。
【００８０】
このようにすると、機器本体Ａにそれより奥行きの小さいオプション機器Ｂを取り付けて設置し、そのオプション機器Ｂの背面側の外装カバーに収納容器２０を取り付けるので、オプション機器Ｂの背面側のデットスペースを有効に利用して収納容器２０を取り付け、占有スペースを拡げることなく設置することができる。そして、収納容器２０の第１側面である高い広幅側板２３の上部が画像形成装置越しに正面側よりユーザーから見えるので、背面側に取り付けてなる収納容器２０の装着位置を容易に確認し、収納容器２０に機器関連材２２を簡単に出入れ自在に収納することができる。
【００８１】
図６には、図２に示す収納容器２０を画像形成装置のオプション機器の正面側に取り付けた状態を示す。
図示するように、画像形成装置を機器本体Ａにオプション機器Ｂを取り付けて構成し、そのオプション機器Ｂの、例えば正面側の外装カバーに収納容器２０を取り付けてなる。そして、機器本体Ａにオプション機器Ｂを取り付けて設置し、そのオプション機器Ｂの背面側以外に収納容器２０を取り付けるようにすることもできる。
【００８２】
このようにすると、機器本体Ａにオプション機器Ｂを取り付けて設置し、そのオプション機器Ｂの正面側に収納容器２０を取り付けるので、収納容器２０に機器関連材２２を入れるとき、広幅側面２３の上部で案内して出入れ口２７に導き、オプション機器Ｂの背面側以外に取り付けた収納容器２０に機器関連材２２をスムーズに入れることができる。
【００８３】
さて、上述した例では、画像形成装置の外面に、両面テープを用いて収納容器２０を取り付けた。両面テープを用いて収納容器２０を取り付けると、取り付け面をアルコールで拭いたり、両面テープから剥がした剥離紙がごみとして残ったり、剥がれやすい心配があったりする。しかし、そのような問題があったとしても、取り付けにねじなどを用いる場合に比し、ドライバ等の工具を必要とすることなく、外面への収納容器２０の取り付け作業を簡便とすることができる。
【００８４】
図７には、取付用リベットを用いて取り付ける収納容器２０の外観を示す。
画像形成装置の外面に取付用リベットを用いて収納容器２０を取り付けるときには、収納容器２０の、対向する一対の広幅側板２３，２４に各々取付用リベットのリベット挿通孔２８を複数ずつあけてなる。
【００８５】
図８には、取付用リベットを用いて収納容器２０を画像形成装置の側面に取り付ける状態を示す。
図示するように、取付用リベット３０を用いて収納容器２０を画像形成装置に取り付けるときは、取付用リベット３０を複数のリベット挿通孔２８のうちの適宜のリベット挿通孔２８に通してから、画像形成装置の例えば左側面の外装カバーの取付孔３１にも通して抜け止めする。
【００８６】
図９には、取付用リベットの一例であるプッシュリベットを示す。
図示するとおり、プッシュリベットである取付用リベット３０は、先端が四つ割になったホルダ３２とその中心に挿入する軸３３とからなり、リベット挿通孔２８に通す前はホルダ３２中に軸３３を押し込んでいない図９（Ａ）に示す状態とし、リベット挿通孔２８に続いて取付孔３１に通して後、（Ｂ）に示すように軸３３を押し込むことにより四つ割になったホルダ３２の先端部分を押し開いて抜け止めするようになっている。なお、軸３３をさらに押し込むと、押し開いたホルダ３２の先端が閉じるようになっており、取付用リベット３０を取り外すときには、（Ｂ）の状態から軸３３をさらに押し込んで後、取付孔３１およびリベット挿通孔２８から引き抜く。
【００８７】
ところで、図７に示す例では、一対の小口幅側板２５，２６に作業孔３４をあけてなる。よって、例えば図３や図５に示すように、画像形成装置の背面側に収納容器２０を取り付けるときなど、高さの高い広幅側板２３により、取付用リベット３０を用いた取り付け作業が妨げられることがあったとしても、作業孔３４から手を入れて取り付け作業を容易に行うことができる。
【００８８】
また、図８に示すように、画像形成装置の左側面の外装カバーには、外面の下縁に沿ってリブ状の突部３５を形成してなる。そして、収納容器２０を取り付けるとき、画像形成装置の外面の突部３５上に収納容器２０を仮置きして位置決めし、リベットや両面テープなどを用いて収納容器２０を外面に取り付ける。
【００８９】
このようにすると、収納容器２０を取り付けるとき、画像形成装置外面の突部３５上に仮置きして位置決めするので、例えば取付用リベット３０を通す収納容器２０のリベット挿通孔２８と画像形成装置の外面の取付孔３１との位置合わせなどを簡単として、外面への収納容器２０の取り付け作業を一層容易とすることができる。
【００９０】
さて、上述した収納容器２０は、一対の広幅側板２３，２４および一対の小口幅側面２５，２６を各々出入れ口２７に向けて漸次拡がるように形成してなる。そして、製造時、運搬時、保管時などは、その収納容器２０を、図１０に示すように順次入れて複数個積み重ねる。このようにすると、場所を取らず、製造時、運搬時、保管時などに、取り扱いを簡単とするとともに、運搬費等を削減し、保管や梱包を容易とし、コストダウンを図ることができる。
【００９１】
図１１には、取出し用切欠きを設けた収納容器２０を示す。
図示するように、一対の広幅側板２３，２４の双方にそれぞれ、使用説明書や記録媒体などの機器関連材２２の取出し用切欠き３６を設けるとよい。そして、必要に応じて取出し用切欠き３６から手を入れ、収納する機器関連材２２を出入れ口２７から掴み出す。これにより、例えば収納する機器関連材２２が小さなものであったとしても、収納する機器関連材２２を出入れ口２７に導いて容易に取り出すことができる。図示例では、一対の広幅側板２３，２４の双方に機器関連材２２の取出し用切欠き３６を設けるが、いずれか一方だけでもよい。
【００９２】
図１２には、別の収納容器２０を画像形成装置の側面側に取り付けた状態を示す。
この例では、一対の小口幅側面２５，２６の高さを異ならしめ、高さの高い第１側面である一方の小口幅側面２５を画像形成装置の背面側、高さの低い第２側板である他方の小口幅側面２６を正面側として、一対の広幅側面２３，２４の一方の広幅側板２３を取り付けて収納容器２０を画像形成装置の側面側の外装カバーに取り付けてなる。
【００９３】
このようにしても、収納容器２０に機器関連材２２を入れるとき、第１側板である高い小口幅側面２５の上部に当ててそれで案内して出入れ口２７に導き、機器関連材２２を収納容器２０内にスムーズに入れることができる。
【図面の簡単な説明】
【００９４】
【図１】電子機器の一例である画像形成装置の外観図である。
【図２】図１に示す画像形成装置の外面に取り付ける収納容器の外観図である。
【図３】図２に示す収納容器を画像形成装置の背面側に取り付けた状態図である。
【図４】図２に示す収納容器を画像形成装置の側面側に取り付けた状態図である。
【図５】図２に示す収納容器を画像形成装置のオプション機器の背面側に取り付けた状態図である。
【図６】図２に示す収納容器を画像形成装置のオプション機器の正面側に取り付けた状態図である。
【図７】取付用リベットを用いて取り付ける収納容器の外観図である。
【図８】取付用リベットを用いて収納容器を画像形成装置の側面に取り付ける状態図である。
【図９】取付用リベットの一例であるプッシュリベットで、（Ａ）は取り付け前、（Ｂ）は取り付け後の状態図である。
【図１０】収納容器を積み重ねた状態断面図である。
【図１１】取出し用切欠きを設けた収納容器の斜視図である。
【図１２】別の収納容器を画像形成装置の側面側に取り付けた状態図である。
【図１３】従来の収納容器の取り付け状態図である。
【符号の説明】
【００９５】
２０    収納容器
２２    機器関連材
２３    広幅側板（第１側板）
２４    広幅側板（第２側板）
２５    小口幅側板（第１側板）
２６    小口幅側板（第２側板）
２７    出入れ口
２８    リベット挿通孔
３０    取付用リベット
３１    取付孔
３２    取付用リベットのホルダ
３３    取付用リベットの軸
３４    作業孔
３５    突部
３６    取出し用切欠き
Ａ      機器本体
Ｂ      オプション機器
Ｄ１    機器本体の奥行き
Ｄ２    オプション機器の奥行き
【図１】
0004651516.tif 000002
【図２】
0004651516.tif 000003
【図３】
0004651516.tif 000004
【図４】
0004651516.tif 000005
【図５】
0004651516.tif 000006
【図６】
0004651516.tif 000007
【図７】
0004651516.tif 000008
【図８】
0004651516.tif 000009
【図９】
0004651516.tif 000010
【図１０】
0004651516.tif 000011
【図１１】
0004651516.tif 000012
【図１２】
0004651516.tif 000013
【図１３】
0004651516.tif 000014